【手続補正書】
【提出日】平成19年1月18日(2007.1.18)
【手続補正１】
【補正対象書類名】明細書
【補正対象項目名】発明の名称
【補正方法】変更
【補正の内容】
【発明の名称】ネットワーク番組予約システム及びネットワーク番組予約方法並びに録画機器及び携帯端末機器
【手続補正２】
【補正対象書類名】明細書
【補正対象項目名】特許請求の範囲
【補正方法】変更
【補正の内容】
【特許請求の範囲】
【請求項１】
少なくとも番組情報と顧客情報とが蓄積されているネットワーク上の番組情報サーバーと、該番組情報サーバーにアクセスして所定の番組を予約する機能を備えた録画機器と、前記番組情報サーバーにアクセスして番組情報を閲覧し且つ所望の番組を選択することができる情報端末機器とからなり、
前記番組情報サーバーは、前記録画機器に対して前記情報端末機器が選択した番組の録画予約設定を行うことを特徴とするネットワーク番組録画予約システム。
【請求項２】
上記請求項１のネットワーク番組録画予約システムにおいて、前記情報端末機器は携帯型情報端末機器であることを特徴とするネットワーク番組録画予約システム。
【請求項３】
上記請求項２のネットワーク番組録画予約システムにおいて、前記携帯型情報端末機器は携帯電話機であることを特徴とするネットワーク番組録画予約システム。
【請求項４】
上記請求項１のネットワーク番組録画予約システムにおいて、前記番組情報は、チャンネル番号及び又は番組の開始時刻及び又は番組の終了時刻及び又は番組の放映時間及び又は録画モード及び又は番組名を含むことを特徴とするネットワーク番組録画予約システム。
【請求項５】
上記請求項１のネットワーク番組録画予約システムにおいて、前記番組情報サーバーにアクセスする前記情報端末機器は番組情報サーバー側において個人認証が行われることを特徴とするネットワーク番組録画予約システム。
【請求項６】
上記請求項１のネットワーク番組録画予約システムにおいて、前記情報端末機器がアクセスする番組情報サーバーは、個人認証及びサービスに対する課金を行うことを特徴とするネットワーク番組録画予約システム。
【請求項７】
上記請求項１のネットワーク番組録画予約システムにおいて、前記録画機器は前記番組情報サーバーからの録画予約設定に基づいて録画予約の設定を行うことを特徴とするネットワーク番組録画予約システム。
【請求項８】
上記請求項１のネットワーク番組録画予約システムにおいて、前記番組情報サーバーは、前記情報端末機器がアクセスする情報／管理サーバーと、前記録画機器がアクセスする番組サーバーとからなり、該情報／管理サーバーと番組サーバーとはネットワーク上で別個に動作することを特徴とするネットワーク番組録画予約システム。
【請求項９】
上記請求項８のネットワーク番組録画予約システムにおいて、前記番組サーバーはＥＰＧサーバーであることを特徴とするネットワーク番組録画予約システム。
【請求項１０】
上記請求項８のネットワーク番組録画予約システムにおいて、前記情報／管理サーバーは前記情報端末機器が予約した番組情報を蓄積すると共に、該情報端末機器は前記情報／管理サーバーに蓄積してある番組情報から予約の確認ができるようにしたことを特徴とするネットワーク番組録画予約システム。
【請求項１１】
上記請求項１０のネットワーク番組録画予約システムにおいて、前記情報／管理サーバーは番組の予約エラーを前記情報端末機器に返答するようにしたことを特徴とするネットワーク番組録画予約システム。
【請求項１２】
上記請求項１０のネットワーク番組録画予約システムにおいて、前記情報端末機器は前記情報／管理サーバーに蓄積してある番組情報から録画された番組の確認ができるようにしたことを特徴とするネットワーク番組録画予約システム。
【請求項１３】
上記請求項８のネットワーク番組録画予約システムにおいて、前記情報端末機器が前記情報／管理サーバーをアクセスして番組の予約をした時に、該情報／管理サーバーが前記番組サーバーをアクセスして予約した番組を設定し、該番組サーバーが番組を予約設定した時に前記録画機器に予約設定した番組情報を伝送し、該録画機器が予約した番組情報を受信した時に番組の予約設定を行うことを特徴とするネットワーク番組録画予約システム。
【請求項１４】
上記請求項１におけるネットワーク番組録画予約システムにおいて、前記番組情報サーバーの番組情報サービスに改良及び又は変更が施された時に、前記情報端末機器及び前記録画機器にネットワークを通じて同じ改良及び又は変更を施すことを特徴とするネットワーク番組録画予約システム。
【請求項１５】
ネットワーク上の番組情報サーバーに番組情報と顧客情報とを蓄積し、
情報端末機器が前記番組情報サーバーをアクセスして番組情報を閲覧し且つ所望の番組を選択し、
前記情報端末機器が選択した番組の録画予約設定を、所定の番組を予約する機能を備えた録画機器に対して、前記番組情報サーバーが行うことを特徴とするネットワーク番組録画予約方法。
【請求項１６】
少なくとも番組情報と顧客情報とが蓄積されているネットワーク上の番組情報サーバーに対して、情報端末機器がアクセスして番組情報を閲覧し且つ選択した所望の番組の予約設定情報を、上記番組情報サーバーを介して受信し、該受信した所望の番組の予約設定情報に基づき予約設定を行うことを特徴とする録画機器。
【請求項１７】
少なくとも番組情報と顧客情報とが蓄積されているネットワーク上の番組情報サーバーにアクセスするアクセス手段と、
前記番組情報サーバーにアクセスして番組情報を閲覧するように制御する閲覧制御手段と、
前記閲覧した番組情報から所望の番組を選択する選択手段と、
を備え、
前記選択手段において選択した番組の録画予約設定情報を前記番組情報サーバーを介して録画機器に転送することを特徴とする情報端末機器。
【手続補正３】
【補正対象書類名】明細書
【補正対象項目名】０００１
【補正方法】変更
【補正の内容】
【０００１】
本発明はネットワーク番組録画予約システム及びネットワーク番組予約方法並びに録画機器及び携帯端末機器に関し、詳しくは、ネットワークを介して外部から録画予約ができるようにしたネットワーク番組録画予約システム及びネットワーク番組予約方法並びに録画機器及び携帯端末機器に関する。
【手続補正４】
【補正対象書類名】明細書
【補正対象項目名】０００６
【補正方法】変更
【補正の内容】
【０００６】
上記課題を解決するために、本願発明に係るネットワーク番組録画予約システム及びネットワーク番組予約方法並びに録画機器及び携帯端末機器は、次に示す構成にすることである。
【手続補正５】
【補正対象書類名】明細書
【補正対象項目名】０００７
【補正方法】変更
【補正の内容】
【０００７】
（１）少なくとも番組情報と顧客情報とが蓄積されているネットワーク上の番組情報サーバーと、該番組情報サーバーにアクセスして所定の番組を予約する機能を備えた録画機器と、前記番組情報サーバーにアクセスして番組情報を閲覧し且つ所望の番組を選択することができる情報端末機器とからなり、
前記番組情報サーバーは、前記録画機器に対して前記情報端末機器が選択した番組の録画予約設定を行うことを特徴とするネットワーク番組録画予約システム。
（２）上記（１）のネットワーク番組録画予約システムにおいて、前記情報端末機器は携帯型情報端末機器であることを特徴とするネットワーク番組録画予約システム。
（３）上記（２）のネットワーク番組録画予約システムにおいて、前記携帯型情報端末機器は携帯電話機であることを特徴とするネットワーク番組録画予約システム。
（４）上記（１）のネットワーク番組録画予約システムにおいて、前記番組情報は、チャンネル番号及び又は番組の開始時刻及び又は番組の終了時刻及び又は番組の放映時間及び又は録画モード及び又は番組名を含むことを特徴とするネットワーク番組録画予約システム。
（５）上記（１）のネットワーク番組録画予約システムにおいて、前記番組情報サーバーにアクセスする前記情報端末機器は番組情報サーバー側において個人認証が行われることを特徴とするネットワーク番組録画予約システム。
（６）上記（１）のネットワーク番組録画予約システムにおいて、前記情報端末機器がアクセスする番組情報サーバーは、個人認証及びサービスに対する課金を行うことを特徴とするネットワーク番組録画予約システム。
（７）上記（１）のネットワーク番組録画予約システムにおいて、前記録画機器は前記番組情報サーバーからの録画予約設定に基づいて録画予約の設定を行うことを特徴とするネットワーク番組録画予約システム。
（８）上記（１）のネットワーク番組録画予約システムにおいて、前記番組情報サーバーは、前記情報端末機器がアクセスする情報／管理サーバーと、前記録画機器がアクセスする番組サーバーとからなり、該情報／管理サーバーと番組サーバーとはネットワーク上で別個に動作することを特徴とするネットワーク番組録画予約システム。
（９）上記（８）のネットワーク番組録画予約システムにおいて、前記番組サーバーはＥＰＧサーバーであることを特徴とするネットワーク番組録画予約システム。
（１０）上記（８）のネットワーク番組録画予約システムにおいて、前記情報／管理サーバーは前記情報端末機器が予約した番組情報を蓄積すると共に、該情報端末機器は前記情報／管理サーバーに蓄積してある番組情報から予約の確認ができるようにしたことを特徴とするネットワーク番組録画予約システム。
（１１）上記（１０）のネットワーク番組録画予約システムにおいて、前記情報／管理サーバーは番組の予約エラーを前記情報端末機器に返答するようにしたことを特徴とするネットワーク番組録画予約システム。
（１２）上記（１０）のネットワーク番組録画予約システムにおいて、前記情報端末機器は前記情報／管理サーバーに蓄積してある番組情報から録画された番組の確認ができるようにしたことを特徴とするネットワーク番組録画予約システム。
（１３）上記（８）のネットワーク番組録画予約システムにおいて、前記情報端末機器が前記情報／管理サーバーをアクセスして番組の予約をした時に、該情報／管理サーバーが前記番組サーバーをアクセスして予約した番組を設定し、該番組サーバーが番組を予約設定した時に前記録画機器に予約設定した番組情報を伝送し、該録画機器が予約した番組情報を受信した時に番組の予約設定を行うことを特徴とするネットワーク番組録画予約システム。
（１４）上記（１）におけるネットワーク番組録画予約システムにおいて、前記番組情報サーバーの番組情報サービスに改良及び又は変更が施された時に、前記情報端末機器及び前記録画機器にネットワークを通じて同じ改良及び又は変更を施すことを特徴とするネットワーク番組録画予約システム。
（１５）ネットワーク上の番組情報サーバーに番組情報と顧客情報とを蓄積し、
情報端末機器が前記番組情報サーバーをアクセスして番組情報を閲覧し且つ所望の番組を選択し、
前記情報端末機器が選択した番組の録画予約設定を、所定の番組を予約する機能を備えた録画機器に対して、前記番組情報サーバーが行うことを特徴とするネットワーク番組録画予約方法。
（１６）少なくとも番組情報と顧客情報とが蓄積されているネットワーク上の番組情報サーバーに対して、情報端末機器がアクセスして番組情報を閲覧し且つ選択した所望の番組の予約設定情報を、上記番組情報サーバーを介して受信し、該受信した所望の番組の予約設定情報に基づき予約設定を行うことを特徴とする録画機器。
（１７）少なくとも番組情報と顧客情報とが蓄積されているネットワーク上の番組情報サーバーにアクセスするアクセス手段と、前記番組情報サーバーにアクセスして番組情報を閲覧するように制御する閲覧制御手段と、前記閲覧した番組情報から所望の番組を選択する選択手段と、を備え、前記選択手段において選択した番組の録画予約設定情報を前記番組情報サーバーを介して録画機器に転送することを特徴とする情報端末機器。
【手続補正６】
【補正対象書類名】明細書
【補正対象項目名】０００９
【補正方法】変更
【補正の内容】
【０００９】
【発明の実施の形態】
次に、本発明に係るネットワーク録画予約システム及びネットワーク番組予約方法並びに録画機器及び携帯端末機器の実施の形態について、特にネットワーク録画予約システムについて図面を参照して説明する。